(57)【要約】【課題】光の利用効率の低下を抑制しつつ照明光の出射角範囲を制限することができる照明装置の構造を実現する。【解決手段】本発明の照明装置１１０は、光出射面１１２ｂを備えた面状発光体１１０Ａと、前記面状発光体の前記光出射面上に配置され、前記光出射面の法線に対して一側へ傾斜した複数の遮光部１１６が間隔を有して繰り返し配置された光出射角制御層１１０Ｂと、前記遮光面の傾斜方向に沿って入射する光の進路を所定の方向に屈折させる複数のプリズム面１１４ｃが繰り返し設けられ、前記光出射角制御層上に配置された光屈折層１１０Ｃと、を具備することを特徴とする。【選択図】図１
2007305543.tif 000002
【特許請求の範囲】
【請求項１】
光出射面を備えた面状発光体と、
前記面状発光体の前記光出射面上に配置され、前記光出射面の法線に対して一側へ傾斜
した遮光部が間隔を有して繰り返し配置された光出射角制御層と、
前記遮光部の傾斜方向に沿って入射する光の進路を所定の方向に屈折させる複数のプリ
ズム面が繰り返し設けられ、前記光出射角制御層上に配置された光屈折層と、
を具備することを特徴とする照明装置。
【請求項２】
前記面状発光体の前記光出射面から出射する光が前記一側に偏った出射角分布を有する
ことを特徴とする請求項１に記載の照明装置。
【請求項３】
前記光出射角制御層の厚み方向の前記遮光部の形成範囲が前記遮光部の間隔より大きい
ことを特徴とする請求項１又は２に記載の照明装置。
【請求項４】
前記プリズム面は、前記光屈折層における前記光出射角制御層とは反対側にある面上に
、前記遮光部の傾斜に沿った方向と直交する面に対して前記一側に傾斜するように構成さ
れていることを特徴とする請求項１乃至３のいずれか一項に記載の照明装置。
【請求項５】
前記遮光部は前記法線に対して１５〜３０度の範囲内で傾斜し、前記プリズム面は前記
法線に対して３５〜５５度の範囲内で傾斜していることを特徴とする請求項４に記載の照
明装置。
【請求項６】
前記光出射角制御層と前記光屈折層が積層されて一体の光学シートを構成していること
を特徴とする請求項１乃至５のいずれか一項に記載の照明装置。
【請求項７】
前記光学シートの前記光屈折層側の表面にマット処理が施されていることを特徴とする
請求項６に記載の照明装置。
【請求項８】
前記面状発光体は、光源と、該光源に対向配置された光入射用の端面及び該端面と交差
し内部伝播光を放出する前記光出射面を備えた導光板とを有し、前記遮光部は、前記面状
発光体から出射された光の進路に沿って前記導光板における内部伝播光の進行側に傾斜し
ていることを特徴とする請求項１乃至７のいずれか一項に記載の照明装置。
【請求項９】
請求項１乃至８のいずれか一項に記載の照明装置と、該照明装置の照明光を表示光の少
なくとも一部として用いる電気光学パネルとを具備することを特徴とする電気光学装置。
【請求項１０】
請求項９に記載の電気光学装置を搭載したことを特徴とする電子機器。
【請求項１１】
シート面に対して一側へ傾斜した遮光部が間隔を有して繰り返し配置された光出射角制
御層と、
前記遮光部の傾斜方向に沿って入射する光の進路を所定の方向に屈折させる複数のプリ
ズム面が繰り返し設けられ、前記光出射角制御層上に積層された光屈折層と、
を一体に備えたことを特徴とする光学シート。
【発明の詳細な説明】
【技術分野】
【０００１】
本発明は照明装置、電気光学装置、電子機器及び光学シートに係り、特に、面状発光体
の出射光を受けて所望の出射角範囲に限定された出射角分布を有する照明光を形成する場
合に好適な照明装置及びこれに用いる光学シートの構造に関する。
【背景技術】
【０００２】
一般に、液晶表示装置などの電気光学装置としては、液晶表示体等からなる電気光学パ
ネルの背後に配置されるバックライトや電気光学パネルの前方に配置されるフロントライ
ト等の照明装置を装備し、当該照明装置から照射される照明光によって表示が視認可能に
構成されるものが知られている。例えば、バックライトを装備した液晶表示装置では、面
状発光体を構成する導光板の光出射面上に、光拡散シートや集光シートが積層配置され、
これらの上に液晶表示体が配置される。
【０００３】
ところで、一般的には液晶表示装置には視認方向によって表示態様が変化するという視
野角依存性があるため、これを解消するために、液晶表示体そのものを改善する提案が種
々されている。また、視野角の視野角が狭いという欠点を解消するために表示体の観察面
上に配置されるマイクロレンズシートとして、マイクロレンズを形成した面の反対側の面
上に遮光性マトリックスを被着形成してなるものも知られている（例えば、以下の特許文
献１参照）。
【０００４】
しかしながら、電気光学装置を用いた各種表示機器においては、使用者以外の周囲の人
間に表示内容を見られたくない場合や、車載用表示機器のように表示光が窓に写り込むこ
とを防止する必要がある場合など、表示画面の視野角を却って制限したい場合がある。こ
れらの場合には、照明装置の照明光の平行度が高くないと所望の視野角特性を効果的に得
ることができない。
【０００５】
そこで、表示の視野角を制限する目的で、遮光材が互いに平行に複数配置される透光性
シート体をバックライト等の照明装置と液晶表示体との間に配置することが知られている
。特に、この透光性シート体の一種として、表面に断面略Ｖ字型の複数の溝部が設けられ
、これらの溝部に沿って上記遮光材を設けたものが提案されている（例えば、以下の特許
文献２参照）。
【特許文献１】特開平１１−１０１９０２号公報
【特許文献２】特開平９−２４４０１８号公報
【発明の開示】
【発明が解決しようとする課題】
【０００６】
ところが、上記の遮光材を平行に配置した透光性シート体では、照明装置の照明光の平
行度を或る程度は高めることができるが、一般的に照明装置内の導光板から出射される光
の平行度が元々低いことから、平行な複数の遮光材で遮光するだけでは充分な平行度を得
ることが難しく、また、高い平行度を得ようとすると遮光材によって遮光される光成分が
多くなるため、光の利用効率が低下し暗くなってしまう。すなわち、照明光の出射角分布
を効率的に制限することが難しいという問題点がある。
【０００７】
また、液晶表示装置などに用いられる照明装置としては、薄型化を図るために光源を導
光板の側方へ配置してなるサイドライト型の照明装置が用いられる場合が多いが、このよ
うなサイドライト型の照明装置では、光源からの光を導光板の端面から内部に取り込み、
光源側から反対側へと進む内部伝播光を導光板の光出射面や裏面に形成した凹凸パターン
等によって光出射面側へ偏向させて出射するようにしていることから、導光板から出射す
る光の出射角分布が光源の反対側へ偏っている。このため、照明光の出射角範囲を制限し
ようとすると、上記遮光材によって遮られる光量がなおさら多くなり、光の利用効率がさ
らに低下するという問題点がある。
【０００８】
そこで、本発明は上記問題点を解決するものであり、その課題は、光の利用効率の低下
を抑制しつつ照明光の出射角範囲を制限することができる照明装置の構造を実現すること
にある。
【課題を解決するための手段】
【０００９】
斯かる実情に鑑み、本発明の照明装置は、光出射面を備えた面状発光体と、前記面状発
光体の前記光出射面上に配置され、前記光出射面の法線に対して一側へ傾斜した複数の遮
光部が間隔を有して繰り返し配置された光出射角制御層と、前記遮光面の傾斜方向に沿っ
て入射する光の進路を所定の方向に屈折させる複数のプリズム面が繰り返し設けられ、前
記光出射角制御層上に配置された光屈折層と、を具備することを特徴とする。
【００１０】
この発明によれば、面状発光体の光出射面から出射した光は光出射角制御層と光屈折層
を順次に通過することによって照明光が得られることとなるが、光出射角制御層において
は、複数の遮光部が間隔をもって繰り返し設けられていることにより遮光部の傾斜角、間
隔及び層の厚み方向の長さによって定まる所定の出射角範囲に制限された状態で光が出射
されるとともに、遮光部の傾斜に沿った方向へ出射される光の透過率が高くなる。そして
、このように制御された光が入射する光屈折層においては、遮光部の傾斜方向に沿って入
射した光をプリズム面によって所定の方向に屈折させため、光屈折層から出射される光は
、入射光よりも全体として所定の方向に沿った出射角範囲に集光されたものとなり、しか
も入射光の出射角分布が上述のように制限されていたために出射角範囲が制限された光と
なる。また、光出射角制御層の遮光部が一側へ傾斜していることにより、遮光部の傾斜方
向に沿って傾斜した入射光を効率的に透過させることができるため、面状発光体から出射
される光の出射角分布に合わせて遮光部の傾斜方位及び傾斜角度を設定することで、光を
効率的に利用することが可能になる。特に、上記所定の方向が前記遮光部の傾斜に沿った
方向よりも前記法線の方向に近い方向であることが好ましい。
【００１１】
本発明において、前記面状発光体の前記光出射面から出射される光が前記一側に偏った
出射角分布を有することが好ましい。これによれば、面状発光体の光出射面から出射され
る光が遮光部の傾斜方位と同じ一側に偏った出射角分布を有することにより、光出射角制
御層の光透過率を実質的に高めることができるため、光を効率的に利用することができる
。
【００１２】
本発明において、前記光出射角制御層の厚み方向の前記遮光部の形成範囲が前記遮光部
の間隔より大きいことが好ましい。これによれば、遮光部の厚み方向の形成範囲（Ｔ）が
遮光部の間隔（Ｇｂ）より大きいことにより、遮光部の傾斜角度（θ）が小さい場合でも
出射角を充分に制限することができるようになる。
【００１３】
本発明において、前記プリズム面は、前記光屈折層における前記光出射角制御層とは反
対側にある面上に、前記遮光部の傾斜に沿った方向と直交する面に対して前記一側に傾斜
するように構成されていることが好ましい。これによれば、光出射角制御層とは反対側に
ある光屈折層の面上に形成されたプリズム面が上記直交する面（Ｐｘ）に対して前記一側
に傾斜していることにより、一側に傾斜した遮光部の傾斜に沿った光の進路を法線の方向
へ近づけるように屈折させることができる。また、このようにプリズム面が光出射角制御
層の反対側の面に構成されていると、光出射角制御層と光屈折層とを直接密着させること
ができるため、構造を簡易化できるとともに薄型化を図ることができる。
【００１４】
本発明において、前記遮光部は前記法線に対して１５〜３０度の範囲内で傾斜し、前記
プリズム面は前記法線に対して３５〜５５度の範囲内で傾斜していることが好ましい。遮
光部の傾斜角度（θ）とプリズム面の傾斜角度（φ）が上記範囲内にそれぞれ設定されて
いることにより、面状発光体から出射される光を効率的に集光することができる。
【００１５】
本発明において、前記光出射角制御層と前記光屈折層が積層されて一体の光学シートを
構成していることが好ましい。光出射角制御層と光屈折層が積層されて一体の光学シート
とされることで、製造時の取り扱いが容易になるとともに薄型化を図ることが可能になる
。
【００１６】
本発明において、前記光学シートの前記光屈折層側の表面にマット処理（粗面化処理）
が施されていることが好ましい。これによれば、光学シートを面状発光体上に直接配置し
た場合でも、面状発光体と光学シートとが密着することがなくなり、両者間に多少の空気
層が介在することとなるので、光学シートの設計された光学特性を確実に得ることができ
る。
【００１７】
本発明において、前記面状発光体は、光源と、該光源に対向配置された光入射用の端面
及び該端面と交差し内部伝播光を放出する前記光出射面を備えた導光板とを有し、前記遮
光部は、前記面状発光体から出射された光の進路に沿って前記導光板における内部伝播光
の進行側に傾斜していることが好ましい。導光板の側方に光源が配置されているタイプ（
サイドライト型）の面状発光体では、導光板の光出射面から出射される光の出射角分布が
光源とは反対側に偏っているため、遮光部を光源の反対側に傾斜させることにより、導光
板から出射される光を効率的に利用することができる。
【００１８】
次に、本発明の電気光学装置は、上記のいずれかに記載の照明装置と、該照明装置の照
明光を表示光の少なくとも一部として用いる電気光学パネルとを具備することを特徴とす
る。また、本発明の電子機器は、当該電気光学装置を搭載したことを特徴とする。
【００１９】
次に、本発明の光学シートは、シート面に対して一側へ傾斜した遮光部が間隔を有して
繰り返し配置された光出射角制御層と、前記遮光部の傾斜方向に沿って入射する光の進路
を所定の方向に屈折させる複数のプリズム面が繰り返し設けられ、前記光出射角制御層上
に積層された光屈折層と、を一体に備えたことを特徴とする。
【発明を実施するための最良の形態】
【００２０】
［照明装置］
次に、添付図面を参照して本発明の実施形態について詳細に説明する。図１は本実施形
態の照明装置１１０の断面構造を模式的に示す拡大部分断面図である。本実施形態の照明
装置１１０は、面状発光体１１０Ａと、この面状発光体１１０Ａの光出射面１１２ｂ上に
配置される光出射角制御層１１０Ｂと、この光出射角制御層１１０Ｂ上に配置される光屈
折層１１０Ｃとを具備するものである。
【００２１】
面状発光体１１０Ａは、ＬＥＤ（発光ダイオード）等からなる光源１１１と、この光源
１１１に対向する端面である光入射面１１２ａ及びこの光入射面１１２ａと交差する光出
射面１１２ｂを有し、光入射面１１２ａから入射して内部を伝播する光が光出射面１１２
ｂから出射されるように構成された導光板１１２とを有している。光源１１１は図示例の
場合には点状光源であり、導光板１１２の光入射面１１２ａの幅方向に複数の光源１１１
が配列されている。ただし、このように複数の点状光源を配列させた構造に限定されるも
のではなく、例えば、冷陰極管などの線状光源を光入射面１１２ａに沿った姿勢で配置し
てもよい。
【００２２】
導光板１１２は、アクリル樹脂やポリカーボネート樹脂等の透明材料で構成され、内部
伝播光を光出射面１１２ｂから出射させるための光偏向手段を備えている。この光偏向手
段としては、光出射面１１２ｂやその反対側の底面に形成された凹凸構造（プリズム構造
）、底面上に形成された散乱性印刷層などが用いられる。このような光偏向手段は、光出
射面１１２ｂから均一に光が出射されるようにするために、光源１１１からの距離や方向
に応じて適宜の粗密パターンにて分散配置される。また、光の利用効率を高めるために、
導光板１１２の底面上に光反射シート１１３を配置することが好ましい。この光反射シー
ト１１３は、導光板１１２の底面から出射した光を再び導光板１１２へと戻し、光出射面
１１２ｂから出射させる。光反射シート１１３は光を反射できるものであればよいが、例
えば白色ポリエチレンシートなどで形成できる。なお、図示しないが、必要に応じて導光
板１１２の光入射面１１２ａ以外の端面（３辺に相当する端面部分）からの光漏れを防止
するための適宜の反射層を設けてもよい。
【００２３】
上記光出射角制御層１１０Ｂ及び光屈折層１１０Ｃは上記照明装置１１０Ａの導光板１
１２の光出射面１１２ｂ上に配置されている。図示例の場合、光出射角制御層１１０Ｂと
光屈折層１１０Ｃは積層されて一体の光学シート１１４を構成している。ただし、本発明
はこのような態様に限らず、光出射角制御層１１０Ｂと光屈折層１１０Ｃが別々の光学シ
ートとして形成され、相互に重ねて配置されていても構わない。
【００２４】
図２は、上記光出射角制御層１１０Ｂ及び光屈折層１１０Ｃの断面構造を拡大して示す
拡大部分断面図である。光出射角制御層１１０Ｂは、アクリル樹脂等で構成される透明基
材１１５と遮光材１１６とを交互に平面上の所定方向（図２の左右方向、以下、単に「繰
り返し方向」）に繰り返し配列させてなる。透明基材１１５及び遮光材１１６は共に平面
上の上記繰り返し方向と直交する方向（図２の紙面と交差（直交）する方向、以下、単に
「延長方向」という。）に伸びる帯状に構成されている。この延長方向は、導光板１１２
内を光源１１１から入射した光が伝播する繰り返し方向と交差するように（好ましくは直
交するように）設定される。遮光材１１６は例えば黒色の樹脂材で構成され、薄い膜状に
構成されている。遮光材１１６は、面状発光体１１０Ａ側に形成された光入射面１１４ａ
から光屈折層１１０Ｃ側に形成された光出射面１１４ｂ（すなわち光の進路側）へ向けて
、光出射面１１２ｂの法線Ｌｘに対して一側（図示右側）に傾斜するように設けられてい
る。図示例の場合、遮光材１１６は一定の傾斜角度θを有する平板状に構成されている。
【００２５】
図示例の場合、遮光材１１６は上記繰り返し方向に周期Ｐｂで繰り返し形成されている
。また、遮光材１１６の厚み方向の形成範囲Ｔは遮光材１１６の間隔Ｇｂよりも大きく形
成されている。ここで、光出射角制御層１１０Ｂを通過した光の出射角分布は、上記間隔
Ｇｂと範囲Ｔによってほぼ決定される。このような光出射角制御層１１０Ｂは、ラミネー
ト法、ホログラフィ技術を利用した感光法、クレーズを形成した後にクレーズ形成部を染
色する方法などによって容易に形成することができる。
【００２６】
光学シート１１４において、導光板１１２の光出射面１１２ｂが平坦であり、当該光出
射面１１２ｂ上に光学シート１１４が直接載置される場合には、光出射角制御層１１０Ｂ
の光入射面１１４ａにマット処理が施されることが好ましい。ここでマット処理とは表面
に微細な凹凸を設けることであり、表面をエッチングやフロスト処理、ブラスト処理等で
粗面化したり、微細な凹凸表面を形成できる材料をコーティングしたりすることで施すこ
とができるものである。マット処理によって構成された微細な凹凸構造は周期Ｐｂよりも
充分に（例えば一桁以上）小さいことが要求される。
【００２７】
光屈折層１１０Ｃはアクリル樹脂等で構成される透明基材１１７で構成され、光出射角
制御層１１０Ｂ側の面全体が平坦に形成されているとともに、その反対側の面に断面三角
形状の凸部が周期的に形成されてなる。この面には上記遮光材１１６の延長方向と平行に
伸びる傾斜したプリズム面１１４ｃが形成されている。このプリズム面１１４ｃは、遮光
材１１６の傾斜方向に沿って光屈折層１１０Ｃに入射した光を、その進路が上記光軸Ｌｘ
の方向に近づくように屈折させる。図示例のプリズム面１１４ｃは平坦面であるが、本発
明はこのような面形状に限定されるものではなく、湾曲面であってもよい。
【００２８】
上記プリズム面１１４ｃは上記繰り返し方向に周期Ｐｃで繰り返し形成されている。こ
の周期Ｐｃは図示例の場合、上記周期Ｐｂと整合している（周期ＰｂとＰｃの一方が他方
の倍数となっている）が、必ずしも整合している必要はない。
【００２９】
プリズム面１１４ｃは、光屈折層１１０Ｃに対して上記傾斜角度θで入射した光が法線
Ｌｘ側へ屈折されるように構成されていればよい。すなわち、図示例の場合には、上記傾
斜角度θで入射した光と直交する面Ｐｘ（図示点線）に対して繰り返し方向（図示右側、
すなわち遮光材１１６が法線Ｌｘに対して傾斜している側と同じ側）に傾斜している。こ
のようにすると、面状発光体１１０Ａから出射される光のうちの光Ｌ１が光学シート１１
４の内部で上記傾斜角度θに沿って進行する光Ｌ２となるとすれば、この光Ｌ２はプリズ
ム面１１４ｃで法線Ｌｘ側に屈折されて、法線Ｌｘに沿った方向により近い方向に出射さ
れる光Ｌ３となる。図示例の場合、上記の光Ｌ３は法線Ｌｘと平行な方向に出射するよう
に構成されている。ただし、本発明においては、法線Ｌｘに対する光Ｌ２の傾斜角よりも
法線Ｌｘに対する光Ｌ３の傾斜角の方が小さくなるように構成されていればよい。
【００３０】
ここで、上記の遮光材１１６の傾斜角度θは１５〜３０度の範囲内とし、プリズム面１
１４ｃの法線Ｌｘに対する傾斜角度φは３５〜５５度とすることが好ましい。これらの角
度範囲であれば、実際の面状発光体から出射される光を効率的に集光することができる。
また、本実施形態の場合、透明基材１１５、１１７の屈折率をｎとすれば、スネルの法則
よりｓｉｎ［φ−θ］＝ｎ・ｓｉｎφが成立する。ここで、傾斜角度φ＝４５度のとき、
光Ｌ３が法線Ｌｘとほぼ平行な方向に出射される（出射角がほぼ０となる）ように構成す
るためには、傾斜角度θは、例えばθ＝１５．４２９×ｎ−６．５＋Ｍ（Ｍは−５〜＋５
間での数）が成立するように構成すればよい。
【００３１】
光屈折層１１０Ｃの光出射角制御層１１０Ｂとは反対側の面には、隣接する上記プリズ
ム面１１４ｃ間に対向面１１４ｄが設けられている。この対向面１１４ｄは、図示例の場
合、ほぼ法線Ｌｘに沿った垂直面となっている。ただし、上記光Ｌ２に対して実質的にプ
リズム面１１４ｃと同様に機能するか、或いは、光Ｌ２に対する屈折作用をほとんど有し
ないものであればよい。例えば、図２に破線で示す面（傾斜角度θ）と図示の対向面１１
４ｄ（傾斜角度０）との間の傾斜角度を有する面とすることができる。光屈折層１１０Ｃ
は射出成形法やインプリント法などによって容易に形成することができる。
【００３２】
なお、図示例の場合、透明基材１１５と１１７は同じ光屈折率を有する素材で構成され
ていることを前提としているが、透明基材１１５と１１７が異なる光屈折率を有していて
もよい。この場合、光屈折率の差が小さければ、基本的には上記説明内容は何ら変わるも
のではない。以下においても光屈折率の差が小さいことを前提として説明を続ける。
【００３３】
図３は面状発光体１１０Ａから光出射角制御層１１０Ｂ及び光屈折層１１０Ｃを経て出
射される光の出射角分布Ｄ１、Ｄ２及びＤ３の概要の変化態様とともに断面構造を示す概
略断面図、図４は上記繰り返し方向に見た出射角分布Ｄ１、Ｄ２及びＤ３を従来のプリズ
ムシートを用いた照明装置の照明光の出射角分布Ｄ０とともに示すグラフである。
【００３４】
本実施形態では、面状発光体１１０において、導光板１１２の光出射面１１２ｂから出
射される光の出射角分布Ｄ１は、光源１１１の反対側の方位に偏った分布態様を有してい
る。これは、光源１１１から入射した光は導光板１１２の内部を光源１１１の反対側の方
位に伝播していき、この内部伝播光を何らかの光偏向手段による屈折若しくは反射によっ
て光出射面１１２ｂから出射させるようにしているため、原理的に光出射面１１２ｂの法
線Ｌｘに対して対称な出射角分布を取りえないことによる。
【００３５】
本実施形態では、上記の出射角分布Ｄ１の偏り側に遮光材１１６が傾斜しているため、
光出射角制御層１１０Ｂは光出射面１１２ｂから出射した光の多くを光入射面１１４ａに
て取り込み、かつ、光出射面１１４ｂから出射させることができる。すなわち、出射角分
布Ｄ１の傾斜方位と遮光材１１６の傾斜方位とが合致しているため、面状発光体１１０Ａ
から出射された光を効率的に透過させることができる。
【００３６】
光出射角制御層１１０Ｂでは、傾斜した複数の遮光材１１６によって光出射面１１４ｂ
からの光の出射角が制限され、遮光材１１６の傾斜角度θに対応する偏った出射角分布Ｄ
２が得られる。この場合、出射角分布Ｄ２は遮光材１１６の間隔Ｇｂ及び範囲Ｔによって
定まる所定の角度範囲内に制限される。その後、出射角分布Ｄ２を有する光はプリズム面
１１４ｃで屈折され、全体として法線Ｌｘを中心とする出射角分布Ｄ３を有する光が出射
される。
【００３７】
本実施形態によれば、面状発光体１１０Ａの出射角分布Ｄ１を有する光に整合した傾斜
角度θの遮光材１１６を備えた光出射角制御層１１０Ｂによって当該光を効率的に取り込
むことができるとともに。その出射角分布Ｄ２を所定範囲に制限することができる。その
後、この出射角分布Ｄ２の光をプリズム面１１４ｃによって法線Ｌｘ側へ屈折させること
により、法線Ｌｘを中心とする制限された出射角分布Ｄ３を有する光を容易に得ることが
できる。したがって、本実施形態によれば、光を効率的に利用することができるとともに
、光の出射角範囲を充分に制限することが可能になる。
【００３８】
ちなみに従来のバックライトでは、プリズムシートなどで集光して法線Ｌｘの近傍に沿
った光成分を増大させる方法で、図４に示す所定の出射角分布Ｄ０を得ているが、それで
も、本実施形態の出射角分布Ｄ３と比べると光の平行度が低く、しかも出射角範囲の制限
が不十分である。
【００３９】
［電気光学装置］
図５乃至図８は上記照明装置１１０を用いた電気光学装置１００の概略構成を模式的に
示す概略構成断面図である。図５に示す例では、照明装置１１０の観察側に液晶表示体等
からなる電気光学パネル１２０が配置されている。この電気光学パネル１２０は、照明装
置１１０から与えられる照明光によって透過表示を実現するように構成され、例えば、透
過型液晶表示体や半透過反射型液晶表示体等で構成することができる。なお、図５に示す
例では、光源１１１側からその反対側に向けて厚みが徐々に低減される楔状の導光板１１
２′を用いているが、上記導光板１１２と同様の平行平板状の導光板を用いてもよい。
【００４０】
図６に示す例では、導光板１１２と光出射角制御層１１０Ｂ（光学シート１１４）との
間に光拡散シート１１８を配置している。光拡散シート１１８としては、例えば、シート
基材中に屈折率の異なる微粒子を混在させたり、シート基材上に微粒子を分散固着させた
りしたものを用いることができる。光拡散シート１１８は導光板１１２の光出射面１１２
ｂから出射される光の強度のばらつきを低減するためのものである。この光拡散シート１
１８を照明装置１１０に設けることで、その光出射面から出射される光の出射角分布Ｄ１
はなだらかになるが、通常、光源１１１の反対側への出射角分布の偏りは解消されないた
め、基本的な作用効果は上述のものと変わらない。
【００４１】
図７に示す例では、導光板１１２と光出射角制御層１１０Ｂ（光学シート１１４）との
間に集光シート１１９を配置している。この集光シート１１９は光の出射角分布を全体的
に法線Ｌｘ側へ集光する機能を有するものであり、例えば、上面若しくは下面に三角状（
二等辺三角形状）に突出する断面形状を備えたプリズムを形成してなるものである。この
場合、集光シート１１９の集光方向（すなわち、図示しないプリズム面の傾斜方位）は、
上記光出射角制御層１１０Ｂ及び光屈折層１１０Ｃ（光学シート１１４）の遮光材１１６
の傾斜方位及びプリズム面１１４ｃの屈折方位と交差（直交）する方位（上記延長方向）
に設定されていることが好ましい。このようにすると、延長方向に見た光の出射角分布を
集光シート１１９で集光し、上記繰り返し方向に見た光の出射角分布を光学シート１１４
により上述のように制御することができる。
【００４２】
図８に示す例では、導光板１１２と光出射角制御層１１０Ｂ（光学シート１１４）との
間において、導光板１１２側から光拡散シート１１８と集光シート１１９を順次に配置し
ている。これによって、導光板１１２から出射した光は光拡散シート１１８によって拡散
され、その後、集光シート１１９によって集光されてから、光出射角制御層１１０Ｂに入
射する。ここで、光拡散シート１１８及び集光シート１１９は上記図６及び図７に示す例
と同様に構成されたものである。
【００４３】
［電子機器］
最後に、図９を参照して上記液晶装置を搭載した電子機器の実施形態について説明する
。図９は本発明に係る電子機器の一例の外観を示す概略斜視図である。図示例の電子機器
１０００は、車載用のカーナビゲーションシステムであり、本体１０１０と、この本体１
０１０に接続された表示部１０２０とを備えている。本体１０１０には操作ボタン等を配
設した操作面１０１１が設けられるとともに、ＤＶＤ等の記録媒体の導入口１０１２が設
けられている。表示部１０２０の内部には上記の電気光学装置１００が格納され、この電
気光学装置１００による表示、すなわち、ナビゲーション画像の表示が表示部１０２０の
表示画面１０２０ａにて視認できるように構成されている。
【００４４】
この電子機器１０００においては、上記の電気光学装置１００が搭載されていることで
、表示画面から出射される表示光の出射角範囲が制限されるため、車両の窓への写り込み
を防止することができ、安全性を確保できる。
【００４５】
尚、本発明の照明装置、電気光学装置、電子機器及び光学シートは、上述の図示例にの
み限定されるものではなく、本発明の要旨を逸脱しない範囲内において種々変更を加え得
ることは勿論である。例えば、面状発光体としては、上記実施形態で示した導光板の側面
に光源が配置されたものはもちろん、パネルの裏面にＬＥＤを複数配置した構成や、パネ
ルの裏面に冷陰極管を配置した構成であってもよい。
【００４６】
また、上記の電気光学装置としては、透過型液晶表示体や半透過型液晶表示体を電気光
学パネルとして用いた装置を前提として説明したが、反射型液晶表示体を用いるものであ
ってもよく、液晶表示体以外の、例えば電気泳動表示体などを用いた他の電気光学装置で
あっても構わない。さらに、本発明に係る電子機器としては、上記のような車載用表示機
器に限らず、例えば、使用者以外の者に画面が視認されにくいように構成された携帯電話
、携帯型情報端末、携帯型コンピュータ装置などであってもよい。
【図面の簡単な説明】
【００４７】
【図１】照明装置の実施形態の概略斜視図。
【図２】光学シートの光学特性を説明するための拡大部分断面図。
【図３】照明装置内の出射角分布の変化を説明するための拡大部分断面図。
【図４】照明装置内の出射角分布を従来例の分布と共に示すグラフ。
【図５】電気光学装置の実施形態の構成を示す概略構成断面図。
【図６】電気光学装置の他の構成例を示す概略構成断面図。
【図７】電気光学装置のさらに他の構成例を示す概略構成断面図。
【図８】電気光学装置の別の構成例を示す概略構成断面図。
【図９】電子機器の実施形態の概観を示す概略斜視図。
【符号の説明】
【００４８】
１００…電気光学装置、１１０…照明装置、１１０Ａ…面状発光体、１１０Ｂ…光出射角
制御層、１１０Ｃ…光屈折層、１１１…光源、１１２…導光板、１１２ａ…光入射面、１
１２ｂ…光出射面、１１３…反射シート、１１４…光学シート、１１４ａ…光入射面、１
１４ｂ…光出射面、１１４ｃ…プリズム面、１１４ｄ…対向面、１１５、１１７…透明基
材、１１６…遮光材、１１８…光拡散シート、１１９…集光シート、１０００…電子機器
【図１】
2007305543.tif 000003
【図２】
2007305543.tif 000004
【図３】
2007305543.tif 000005
【図４】
2007305543.tif 000006
【図５】
2007305543.tif 000007
【図６】
2007305543.tif 000008
【図７】
2007305543.tif 000009
【図８】
2007305543.tif 000010
【図９】
2007305543.tif 000011